(57)【要約】【課題】ライナープレートで土留めされた作業用縦穴内での作業を行う際に、取り外すことなく作業用縦穴を使用することができるライナープレートの最上部に固定するタラップ用踊り場を提供する。【解決手段】作業用縦穴１２のライナープレート１０の最上部に固定するタラップ用踊り場において、足場用フレーム１内に支持されたエキスパンドメタルにより足場２が形成され、足場用フレーム１にライナープレート１０の最上部のフランジ１１に足場２を作業用縦穴１２の内側あるいは外側に回動可能にする蝶番４が固定され、外管とこの外管内をスライドする内管からなる伸縮可能な、足場を支持するための足場支持部材５の一端が足場用フレーム１に蝶番４と反対側に回動可能に固定されるとともに、他端がライナープレート１０の最上部のフランジ１１より下側のフランジ１３に回動可能に固定されている。【選択図】図３
0003132147.tif 000002
【実用新案登録請求の範囲】
【請求項１】
作業用縦穴のライナープレートの最上部に固定するタラップ用踊り場において、
足場用フレーム内に支持されたエキスパンドメタルにより足場が形成され、
前記足場用フレームに前記ライナープレートの最上部のフランジに前記足場を作業用縦穴の内側あるいは外側に回動可能にする蝶番が固定され、
外管とこの外管内をスライドする内管からなる伸縮可能な、足場を支持するための足場支持部材の一端が前記足場用フレームに前記蝶番と反対側に回動可能に固定されるとともに、他端が前記ライナープレートの最上部のフランジより下側のフランジに回動可能に固定されていることを特徴とするタラップ用踊り場。
【請求項２】
ライナープレートの外側に前記足場へ上り下りするステップが前記ライナープレートの最上部のフランジに前記ステップの支持板により支持され、前記支持板に前記足場用フレームに固定された前記蝶番が重ね合わて固定されていることを特徴とする請求項１記載のタラップ用踊り場。
【考案の詳細な説明】
【技術分野】
【０００１】
本考案は、鉄塔の基礎工事などで利用される作業用縦穴の土留めに使用されるライナープレートの最上部に固定する作業用縦穴のタラップ用踊り場に関する。
【背景技術】
【０００２】
鉄塔の基礎工事やトンネルの作業用立坑などにおいて、垂直方向に掘削し、壁面をライナープレートでライニングして土留めして作業員が作業できる空間を確保するための作業用縦穴が利用されている。作業用縦穴内に地上からクラブシェルを降ろして掘削したり、地上から底へ資材や作業機械などを降ろしたり、逆に底から不要の資材や作業機械などを引き上げたりしている。作業用縦穴には作業関係者が上り下りするためのタラップがライナープレートに取り付けられている（特許文献１、２参照）。このタラップにはライナープレートの最上部のフランジにタラップ用踊り場が固定され、足場が作業用縦穴内へ突き出している。
【特許文献１】実公昭６３−１９８６９２号公報
【特許文献２】実開平２−５０４９５号公報
【考案の開示】
【考案が解決しようとする課題】
【０００３】
従来のタラップ用踊り場は、固定されているため、掘削するためのクラブシェルを作業用縦穴内で昇降させたり、資材や作業機械などの搬入あるいは搬出させたりする際に、クラブシェル、資材や作業機械などが突き出ている踊り場にぶつかるなどの支障がある場合には、作業範囲を拡げるため、踊り場を取り外し、その後取り付ける作業が必要であったが、この作業に手間が掛かるという問題があった。
【０００４】
そこで、本考案は、ライナープレートで土留めされた作業用縦穴内での作業を行う際に、取り外すことなく作業用縦穴を使用することができるライナープレートの最上部に固定するタラップ用踊り場を提供するものである。
【課題を解決するための手段】
【０００５】
本考案は、作業用縦穴のライナープレートの最上部に固定するタラップ用踊り場において、足場用フレーム内に支持されたエキスパンドメタルにより足場が形成され、前記足場用フレームに前記ライナープレートの最上部のフランジに前記足場を作業用縦穴の内側あるいは外側に回動可能にする蝶番が固定され、外管とこの外管内をスライドする内管からなる伸縮可能な、足場を支持するための足場支持部材の一端が前記足場用フレームに前記蝶番と反対側に回動可能に固定されるとともに、他端が前記ライナープレートの最上部のフランジより下側のフランジに回動可能に固定されていることを特徴とする。
【０００６】
さらに、ライナープレートの外側に前記足場へ上り下りするステップが前記ライナープレートの最上部のフランジに前記ステップの支持板により支持され、前記支持板に前記足場用フレームに固定された前記蝶番が重ね合わて固定されていることを特徴とする。
【考案の効果】
【０００７】
本考案は、足場を作業用縦穴の内側に倒して踊り場として使用し、踊り場が作業用縦穴での作業に支障がある場合には踊り場を撤去することなく立てることで搬出入部材の移動経路のスペースが確保されて作業範囲が拡大する。その結果、一旦取り付けると踊り場の取り外しの手間が省け、また、作業用縦穴の口径をいっぱいに利用できるサイズのクラブシェル、資材や作業機械を選択できるので作業効率が向上する。
【０００８】
さらに、ライナプレートの最上部がグランドレベルより高い場合に、ライナープレートの外側に足場へ上り下りするステップを設けることにより、足場へ容易に上り下りすることができる。
【考案を実施するための最良の形態】
【０００９】
図１（ａ）は本考案のタラップ用踊り場を起こした状態を示す斜視図、（ｂ）は倒した状態を示す斜視図である。図２（ａ）はタラップ用踊り場の平面図、（ｂ）は正面図、（ｃ）は側面図で、足場を外した図である。図３はタラップ用踊り場に固定して使用する状態を示し、（ａ）はタラップ用踊り場を起こした状態を示す斜視図、（ｂ）はタラップ用踊り場を起こした状態を示す斜視図である。
【００１０】
図１及び図２において、踊り場は、矩形の足場用フレーム１にエキスパンドメタルが配置されて足場２が形成される。足場用フレーム１には、ライナープレート１０（図３参照）に固定されたトラップ（図示せず）へ降りる側を除いた側に転落防止用の手摺３が設けられる。
【００１１】
足場用フレーム１のライナープレート側には一対の蝶番４が間隔をおいて固定され、蝶番４はライナープレート１０の最上部のフランジ１１（図３参照）にボルト・ナットにより固定される。蝶番４により足場２は作業用縦穴１２（図３参照）の内側あるいは外側に回動する。
【００１２】
足場用フレーム１には、蝶番４が固定された側と反対側に作業用縦穴側に倒された足場２を支持する一対の足場支持部材５の一端が間隔をおいて枢着部材６を介して回動可能に固定される。また、足場支持部材５の他端はライナープレート１０の最上部のフランジ１１より下側のフランジ１３に枢着部材７を介して回動可能に固定される。
【００１３】
足場支持部材５は、外管８とこの外管内をスライドする内管９からなる二重管で構成して足場２の回動によりスライドして伸縮し、足場を作業用縦穴側に倒して支持する時に縮み、足場を起こして立てる時に伸びてライナープレートとほぼ平行になる。
【００１４】
次に、本考案の踊り場の使用方法について説明する。
【００１５】
図３（ａ）において、ライナープレート１０の最上部のフランジ１１に足場用フレーム１のライナープレート側に固定されている蝶番４をボルトにより固定する。
【００１６】
次いで、足場用フレーム１に一端が枢着部材６を介して回動可能に固定されている足場支持部材５の他端をライナープレート１０の上端のフランジ１１より下側のフランジ１３に枢着部材７を介して回動可能に固定する。
【００１７】
地面から立ち上げられているライナープレート１０の外側に、足場２に上るためのステップ１４を配置する場合には、例えば、ステップ１４の支持板１５をライナープレート１０の最上部のフランジ１１に支持させ、その上に蝶番４を重ね合わせてボルト、ナットで固定する。
【００１８】
通常は、足場２を作業用縦穴１２の内側に倒してライナープレート１１に固定されている。トラップの踊り場として使用する。
【００１９】
作業用縦穴内でクラブシェルを昇降させたり、資材や作業機械などの搬入あるいは搬出させたりする際に、これらが踊り場にぶつかるおそれがある場合には、図３（ｂ）に示すように、足場２を作業用縦穴１２の外側に回動させて退避させることにより、クラブシェル、資材や作業機械の搬入あるいは搬出の際にこれらが踊り場にぶつからないようにする。このとき、足場支持部材５は伸びてほぼ垂直となる。こうして足場２を起こすことで踊り場を撤去することなく作業用縦穴１２での作業範囲を拡げることができる。
【図面の簡単な説明】
【００２０】
【図１】（ａ）は本考案のタラップ用踊り場を起こした状態を示す斜視図、（ｂ）は倒した状態を示す斜視図である。
【図２】（ａ）はタラップ用踊り場の平面図、（ｂ）は正面図、（ｃ）は側面図である。
【図３】（ａ）はタラップ用踊り場を起こした状態を示す斜視図、（ｂ）はタラップ用踊り場を起こした状態を示す斜視図である。
【符号の説明】
【００２１】
１：足場用フレーム
２：足場
３：手摺
４：蝶番
５：足場支持部材
６：枢着部材
７：枢着部材
８：外管
９：内管
１０：ライナープレート
１１：最上部のフランジ
１２：作業用縦穴
１３：下側のフランジ
１４：ステップ
１５：支持板
【図１】
0003132147.tif 000003
【図２】
0003132147.tif 000004
【図３】
0003132147.tif 000005